【事件の表示】
　平成２年特許願第２５３０７号「高周波電力供給装置、溶接部への直流電流供給方法及びその調整回路」拒絶査定に対する審判事件（平成２年１１月１３日出願公開、特開平２−２７６４７７）について、次のとおり審決する。
【結論】
　本件審判の請求は、成り立たない。
【理由】
（手続の経緯・本願発明の要旨）
　本願は、平成２年２月６日（優先権主張１９８９年２月６日）の出願であって、その発明の要旨は、補正された明細書及び図面の記載からみて、特許請求の範囲に記載された次のとおりのものと認める。
「１．第１のエレメント部である電極エレメント部と第２のエレメント部である作業片エレメント部とを含む溶接部にチョークを介して直流電流を供給するための高周波電力供給装置であって、当該電力供給装置は、コアー、一次巻線、第１と第２出力端子を構成する互いに分離された巻線端部を形成する様に、共通接合点において直列に接続されている第１および第２の二次巻線とからなる変圧器、当該共通接合点を当該溶接部の第１のエレメント部若しくは第２のエレメント部の何れか一方のエレメント部に接続する手段、および当該溶接個所の第２のエレメント部若しくは第１のエレメント部を、当該第１と第２出力端子に接続する手段、当該一次巻線に電流パルスを交互に流す事によって、当該二次巻線を介して、反対方向のパルス状の電流を誘起させる手段、および当該第１と第２の出力端子と当該溶接部の第２のエレメント部若しくは第１のエレメント部の間をそれぞれ接続する第１と第２の単向デバイスより構成されており、それによって当該チョークを介してフィルターされた直流電流パルスが当該溶接部に供給される様に構成された高周波電力供給装置において、
　当該高周波電力供給装置は、更に、当該一次巻線が第１と第２部分に分かれており、かつ当該一次巻線に於ける当該第１の巻線部分と当該第２の巻線部分にはそれぞれ、各巻線部分に電流を交互に流す為の第１のスイッチ手段及び第２のスイッチ手段とが設けられていると共に、当該第１の二次巻線とシリーズに接続された第１の補助電流昇圧巻線、当該第１の出力端子と当該チョークとの間に設けられた当該第１の単向デバイスと同じような極性を持つ第３の単向デバイスと電流制御手段を含んでいる、当該第１の補助電流昇圧巻線を当該チョークを介して当該溶接部に於ける当該第１と第２のエレメントの何れかに接続させる第１の電流調節回路、当該第２の二次巻線とシリーズに接続された第２の補助電流昇圧巻線、及び当該第２の出力端子と当該チョークとの間に設けられた当該第２の単向デバイスと同じような極性を持つ第４の単向デバイスと電流制御手段を含んでいる、当該第２の補助電流昇圧巻線を当該チョークを介して当該溶接部に於ける当該第１と第２のエレメントの何れかに接続させる第２の電流調節回路とから構成されている事を特徴とする、高周波電力供給装置。
２．〜１０．　略
１１．（ａ）第１のエレメント部である電極エレメント部と第２のエレメント部である作業片エレメント部とを含む溶接部にチョークを介して直流電流を供給するための高周波電力供給装置であって、当該電力供給装置は、コアー、一次巻線、第１と第２出力端子を構成する互いに分離された巻線端部を形成する様に、共通接合点において直列に接続されている第１および第２の二次巻線とからなる変圧器を用意し、
（ｂ）当該共通接合点を当該溶接部の第１のエレメント部若しくは第２のエレメント部の何れか一方のエレメント部に接続し、
（ｃ）当該第１と第２出力端子を当該溶接個所の第２のエレメント部若しくは第１のエレメント部に接続し、
（ｄ）電流パルスを当該一次巻線に於ける当該第１の巻線部分と当該第２の巻線部分に交互に個別的に流すことによって、当該二次巻線を介して、反対方向のパルスの電流を誘起させ、
（ｅ）当該第１と第２の出力端子と当該溶接部に於ける当該第１のエレメント部若しくは第２のエレメント部の何れか一方との間にチョークを介して第１及び第２の単向デバイスを設けると共に、当該第１と第２の出力端子と当該チョークとの間に直列に接続された第１と第２の電流調節回路を設け、
（ｆ）当該第１と第２の電流調節回路には、当該第１と第２の二次巻線に直列に接続された補助電流昇圧巻線と電流制御手段とを設け、当該電流調節回路を流れる電流の量と方向を限定しがなら直流電流パルスを当該チョークを介して当該溶接部へ供給する
　様に構成されていることを特徴とする当該電極エレメント部と作業片エレメント部より成る直流電流供給方法。
１２．第１のエレメント部である電極エレメント部と第２のエレメント部である作業片エレメント部とを含む溶接部にチョークを介して直流電流を供給するための高周波電力供給装置であって、当該電力供給装置は、コアー、一次巻線、第１と第２出力端子を構成する互いに分離された巻線端部を形成する様に、共通接合点において直列に接続されている第１および第２の二次巻線とからなる変圧器、当該共通接合点を当該溶接部の第１のエレメント部若しくは第２のエレメント部の何れか一方のエレメント部に接続する手段、および当該溶接個所の第２のエレメント部若しくは第１のエレメント部を、当該第１と第２出力端子に接続する手段、当該一次巻線に電流パルスを交互に流す事によって、当該二次巻線を介して、反対方向のパルス状の電流を誘起させる手段、および当該第１と第２の出力端子と当該溶接部の第２のエレメント部若しくは第１のエレメント部の間をそれぞれ接続する第１と第２の単向デバイスより構成されており、それによって当該チョークを介してフィルターされた直流電流パルスが当該溶接部に供給される様に構成されており、当該高周波電力供給装置に使用される高周波インバーターの出力調整回路は、当該コアーが磁化された時に第１補助電流パルスを生成する当該第１の二次巻線部に接続されている第１の補助電流昇圧巻線、当該第１の補助電流パルスの量を制限する手段、当該第１の補助電流パルスを当該第１の補助電流パルスに加える手段、当該コアーが磁化された時に第２補助電流パルスを生成する当該第２の二次巻線部に接続されている第２の補助電流昇圧巻線、当該第２の補助電流パルスの量を制限する手段、及び当該第２の補助電流パルスを当該第２の補助電流パルスに加える手段とを含んでおり、それによって、当該インバーターの最大出力電圧が実質的に増加しまた当該インバーターの当該電圧／電流特性が上方に移動することを特徴とする調整回路。」
（当審の拒絶理由）
　一方、当審において平成１０年９月２４日付けで通知した拒絶の理由の概要は、本願特許請求の範囲第１、１１、１２項に記載された発明は実願昭５６−３８２５１号（実開昭５７−１５２３６９号）のマイクロフィルム（以下、「引用例１」という。）、実願昭５９−１８２２３５号（実開昭６１−９７３７０号）のマイクロフィルム（以下、「引用例２」という。）、特開昭５７−１４９０６０号公報（以下、「引用例３」という。）に記載されているものに基づいて、当業者が容易に発明をすることができたものであるから、特許法第２９条第２項の規定により特許を受けることができないというものである。
（引用例）
　引用例１には次の技術的事項が記載されている。
・「（１）単相変圧器と、この単相変圧器の二次巻線の終端端子に接続された位相制御されるサイリスタと、この単相変圧器の二次巻線の中間タップに接続されたダイオードを有し、前記サイリスタと前記ダイオードの各出力を合成して負荷に供給する単相混合全波整流方式による直流アーク溶接用電源装置において、前記サイリスタの出力側に直流リアクタを接続し、この直流リアクタのインダクタンス値を分割する中間端子に前記ダイオードの出力側を接続したことを特徴とする直流アーク溶接用電源装置。
　（２）前記直流リアクタが、前記中間端子よりサイリスタ側にある比較的大きいインダクタンス値を有する部分と、前記中間端子より負荷側にある比較的小さいインダクタンス値を有する部分とに分割されていることを特徴とする実用新案登録請求の範囲（１）項記載の直流アーク溶接用電源装置。」（実用新案登録請求の範囲）
　・第３図「本考案の一実施例を示す回路図」
　・第４図「各部電圧波形図」
　　上記の記載を総合すれば、引用例１には「第１のエレメント部である電極エレメント部と第２のエレメント部である作業片エレメント部とを含む溶接部（溶接ワイヤ７、被溶接物８が相当する。）にチョーク（直流リアクタ６ｂが相当する。）を介して直流電流を供給するための電力供給装置であって、当該電力供給装置は、コアー、一次巻線、第１と第２出力端子を構成する互いに分離された巻線端部を形成する様に、共通接合点において直列に接続されている第１および第２の二次巻線とからなる変圧器（単相変圧器１が相当する。）、当該共通接続点を当該溶接部の一方のにエレメント部に接続する手段、および他方のエレメント部を当該第１と第２出力端子に接続する手段、当該一次巻線に電流を交互に流す事によって、当該二次巻線を介して、反対方向の電流を誘起させる手段、および当該第１と第２の出力端子と当該溶接部の他方のエレメント部の間をそれぞれ接続する第１と第２の単向デバイス（ダイオード５ａ、５ｂが相当する。）より構成されており、それによって当該チョークを介してフィルターされた直流電源が当該溶接部に供給される様に構成された電力供給装置において、当該電力供給装置は、更に、当該第１の二次巻線とシリーズに接続された第１の補助電流昇圧巻線、当該第１の出力端子と当該チョークとの間に設けられた当該第１の単向デバイスと同じような極性を持つ第３の単向デバイス（サイリスタ４ａが相当する。）と当該第２の二次巻線とシリーズに接続された第２の補助電流昇圧巻線、および当該第２の出力端子と当該チョークとの間に設けられた当該第２の単向デバイスと同じような極性を持つ第４の単向デバイス（サイリスタ４ｂが相当する。）との接続点と当該チョークとの間に電流制御手段（直流リアクタ６ａが相当する。）を接続する電力供給装置。」が記載されている。
　　引用例２には次の技術的事項が記載されている。
　・「第１図において、・・・１次巻線（１３ａ）が商用交流電源または発電機あるいは高周波電源からなる交流電源に接続されている。」（第７頁第１８行〜第８頁第１行）
　　引用例３には次の技術的事項が記載されている。
　・「（１）溶接用絶縁変圧器の一次側に高周波数の信号を供給できるようにインバータ回路を接続するとともに、二次側に高低の２つの出力電圧が得られる二次巻線を設け、かつその溶接用絶縁変圧器の低出力電圧側の二次巻線から得られる高周波出力電流を整流して平滑する第１の出力回路と高出力電圧側の二次巻線から得られる高周波出力電流を整流して限流する第２の出力回路とを設け、その第１、第２の出力回路の出力電流の重畳電流を出力として取出すことを特徴とするアーク溶接機。
　（２）溶接用絶縁変圧器の一次側に供給する信号の周波数を１０〜３０ＫＨｚとしたことを特徴とする特許請求の範囲第１項に記載のアーク溶接機。
　（３）溶接用絶縁変圧器の一次側に供給する高周波数の信号と通流率をインバータ回路で可変したことを特徴とする特許請求の範囲第１項記載のアーク溶接機。」（特許請求の範囲）
　・第１図「本発明の一実施例によるアーク溶接機の電気回路図」
　１、特許請求の範囲１記載の発明について
　（対比）
　　本願特許請求の範囲１記載の発明と引用例１に記載された発明とを対比すると、
　▲１▼本願特許請求の範囲１記載の発明が「高周波電力供給装置」であるのに対し、引用例１記載の発明が「電力供給装置」である点（相違点１）、▲２▼本願特許請求の範囲１記載の発明が「一次巻線が第１と第２部分に分かれており、かつ一次巻線に於ける第１の巻線部分と第２の巻線部分にはそれぞれ、各巻線部分に電流を交互に流す為の第１のスイッチ手段及び第２のスイッチ手段を設け、一次巻線に電流パルスを交互に流す事によって、二次巻線を介して、反対方向のパルス状の電流を誘起させる」ものであるのに対し、引用例１記載の発明はそのような構成を備えていない点（相違点２）、▲３▼引用例１に記載されたサイリスタ４ａ、４ｂ、直流リアクタ６ａは電流の調節を行う機能を備えたものであるので、本願特許請求の範囲１記載の発明が「第１の出力端子とチョークとの間に設けられた第３の単向デバイスと電流制御手段を含んでいる、第１の補助電流昇圧巻線をチョークを介して溶接部に於ける第１と第２のエレメントの何れかに接続させる第１の電流調節回路、・・・第２の出力端子とチョークとの間に設けられた第４の単向デバイスと電流制御手段を含んでいる、第２の補助電流昇圧巻線をチョークを介して溶接部に於ける第１と第２のエレメントの何れかに接続させる第２の電流調節回路」を備えたものであるのに対し、引用例１記載の発明は「第１の補助電流昇圧巻線に直列に接続された第３の単向デバイスと第２の補助電流昇圧巻線に直列に接続された第４の単向デバイスと接続点とチョークとの間に電流制御手段を接続した電流調節回路」で相違し、その他の点で一致している。
　（当審の判断）
　　相違点１については、引用例２、３には溶接部への直流電流供給において高周波を用いることが記載されているように周知のことであるので引用例１に記載された電力供給装置を高周波電力供給装置とすることは当業者が適宜に行うことである。
　　相違点２については、引用例２第１図には「変圧器の一次巻線を第１の部分と第２の部分に分けるとともにインバータを接続した溶接機」が記載されているように周知のものであるので、上記引用例１に記載ものにおいて、「一次巻線を第１と第２部分に分け、かつ一次巻線に於ける第１の巻線部分と第２の巻線部分にはそれぞれ、各巻線部分に電流を交互に流す為の第１のスイッチ手段及び第２のスイッチ手段により一次巻線に電流パルスを交互に流す事によって、二次巻線を介して、反対方向のパルス状の電流を誘起させる」ことは当業者が容易になし得ることである。
　　相違点３については、引用例１に記載の第３、４単向デバイスの接続点とチョークとの間に接続した電流制御手段には第３、４単向デバイスに流れる電流が交互に流れることは明らかであるので、第３、４単向デバイスの接続点とチョークとの間に共通に電流制御手段を設ける代わりに、第３，４単向デバイスの各々に電流制御手段を接続することは当業者が設計に際して適宜に行うことである。
　２、特許請求の範囲１１記載の発明について
　（対比）
　　本願特許請求の範囲１１記載の発明と引用例１に記載された発明とを対比すると、▲１▼本願特許請求の範囲１１記載の発明が「高周波電力供給装置」であるのに対し、引用例１に記載されたものは「電力供給装置」である点（相違点１）、▲２▼本願特許請求の範囲１１記載の発明が「電流パルスを一次巻線に於ける第１の巻線部分と第２の巻線部分に交互に個別的に流すことによって、二次巻線を介して反対方向のパルスの電流を誘起させる」ものであるのに対し、引用例１に記載されたものはそのような構成を備えていない点（相違点２）、▲３▼引用例１に記載されたサイリスタ４ａ、４ｂ、直流リアクタ６ａは電流の調節を行う機能を備えたものであるので、本願特許請求の範囲１１記載の発明が「第１と第２の出力端子とチョークとの間に直列に接続された第１と第２の電流調節回路を設け、第１と第２の電流調節回路には、第１と第２の二次巻線に直列に接続された補助電流昇圧巻線と電流制御手段とを設け、電流の量と方向を限定しながら直流電流パルスをチョークを介して溶接部に供給する」ものであるのに対し、引用例１に記載された発明は「第１の補助電流昇圧巻線に直列に直列に接続された第３の単向デバイスと第２の補助電流昇圧巻線に直列に接続された第４の単向デバイスと接続点とチョークとの間に電流制御手段を接続した電流調節回路」である点（相違点３）で相違し、その他の点では一致している。
　（当審の判断）
　　相違点１については、引用例２、３には溶接部への直流電流供給方法において、高周波電力供給装置を用いることが記載されているように周知のものであるので引用例１に記載された電力供給装置を高周波電力供給装置とすることは
当業者が適宜に行うことである。
　　相違点２については、溶接部への直流電流供給方法において、電流パルスを一次巻線に於ける第１の巻線部分と第２の巻線部分に交互に個別的に流すことは引用例３に示されたように周知のものであるので、上記引用例１に記載のものにおいて、「一次巻線を第１と第２部分に分け、かつ一次巻線に於ける第１の巻線部分と第２の巻線部分にはそれぞれ、各巻線部分に電流を交互に流す為の第１のスイッチ手段及び第２のスイッチ手段により一次巻線に電流パルスを交互に流す事によって、二次巻線を介して、反対方向のパルス状の電流を誘起させる」ことは当業者が容易になし得ることである。
　　相違点３については、引用例１に記載の第３、４単向デバイスの接続点とチョークとの間に接続した電流制御手段は第３、４単向デバイスに流れる電流が交互に流れることは明らかであるので、第３、４単向デバイスの接続点とチョークとの間に共通に電流制御手段を設ける代わりに、第３，４単向デバイスの各々に電流制御手段を接続することは当業者が設計に際して適宜に行うことである。
　３、特許請求の範囲１２記載の発明について
　（対比）
　　本願特許請求の範囲１２記載の発明と引用例１に記載の発明とを対比すると、▲１▼本願特許請求の範囲１２記載の発明が「高周波電力供給装置」であるのに対し、引用例１に記載されたものは「電力供給装置」である点（相違点１）、▲２▼特許請求の範囲１２記載の発明が「一次巻線に電流パルスを交互に流す事によって、当該二次巻線を介して反対方向のパルスの電流を誘起させる」ものであるのに対し、引用例１に記載されたものはそのような点は明記されていない点（相違点２）、▲３▼特許請求の範囲１２記載の発明が「高周波インバータの出力調整回路」を用いるものであるのに対し、引用例１に記載の発明はそのような構成を備えていない点（相違点３）で相違し、その他の点では一致している。
　（当審の判断）
　　相違点１については、引用例２、３には溶接部への直流電流供給において、高周波電力供給装置を用いることが記載されているように周知のものであるので引用例１に記載された電力供給装置を高周波電力供給装置とすることは当業者が適宜に行うことである。
　　相違点２については、溶接部への直流電流供給方法において、電流パルスを一次巻線に於ける第１の巻線部分と第２の巻線部分に交互に個別的に流すことは引用例３に示されたように周知のものであるので、上記引用例１に記載ものにおいて、一次巻線に電流パルスを交互に流す事によって、当該二次巻線を介して反対方向のパルスの電流を誘起させる」構成とすることは当業者が容易になし得ることである。
　　相違点３については、引用例３には溶接機の高周波インバータを用いた出力調整回路が記載されているように周知のものである。
（むすび）
　したがって、本願特許請求の範囲１、１１、１２に記載された発明は、上記引用例１〜３に記載されたものから当業者が容易に発明をすることができたものであるから特許法第２９条第２項に規定により特許を受けることができない。
　よって結論のとおり審決する。